(57)【要約】【課題】極めて長寿命で操作においても安定しており、操作力や操作感が初期の状態と変わらない押ボタンスイッチを提供する。【解決手段】上方を開口部１Ａとしたケース１とこのケース１を覆うケースカバー１３からなるスイッチ本体１６とこのスイッチ本体１６内に接触機構部を配設するとともにケースカバー１３上面に突出したプランジャ１２を配備し、このプランジャ１２の上下動をスイッチ本体１６内で案内し接触機構部と連動させて電路の開閉を行う押ボタンスイッチであって、ケース１の外側面３の四隅に縦溝６を設け、この縦溝６に摩擦係数の少ない金属製の丸ピン１１を固定し、ケース１とプランジャ１２を有するケースカバー１３からなるスイッチ本体１６を備え、このスイッチ本体１６を覆う操作ボタン２５をプランジャ１２と凹凸嵌合して配設するようにした。【選択図】図１
2008112634.tif 000002
【特許請求の範囲】
【請求項１】
上方を開口部としたケースと該ケースを覆うケースカバーからなるスイッチ本体と該スイッチ本体内に接触機構部を配設するとともに前記ケースカバーの穴より上面に突出したプランジャを配備し、該プランジャの上下動を前記スイッチ本体内で案内し接触機構部と連動させて電路の開閉を行う押ボタンスイッチであって、前記ケースの外側面の四隅に縦溝を設け、該縦溝に摩擦係数の少ない金属製の丸ピンを固定し、前記ケースと前記プランジャを有する前記ケースカバーからなるスイッチ本体を備え、該スイッチ本体を覆う操作ボタンを前記プランジャと凹凸嵌合して配設するようにしたことを特徴とする押ボタンスイッチ。
【請求項２】
前記縦溝は前記丸ピンの径より小さめに形成して、前記縦溝に前記丸ピンを圧入状態に配設したことを特徴とする請求項１記載の押ボタンスイッチ。
【請求項３】
前記操作ボタンの内側面に前記丸ピンを係合することにより、前記操作ボタンの上下方向の案内となり、操作ボタンのガタのない安定した操作性を得ることができる凹所を具備することを特徴とする請求項１記載の押ボタンスイッチ。
【発明の詳細な説明】
【技術分野】
【０００１】
本発明は、押ボタンスイッチに係り、特に操作頻度の激しい機器の使用に適した押ボタンスイッチであって、長寿命で操作を安定、かつ円滑にする押ボタンスイッチの構造に関するものである。
【背景技術】
【０００２】
従来の押ボタンスイッチは、一般的に操作ボタンとスイッチ本体の摺動部にポリアセタールや繊維強化プラスチック等の樹脂で耐久性に優れたものが使用されていた。また、特に操作頻度が多く、滑らかな操作感を必要とする機器にあっては、摺動部分にグリース等の円滑材を塗布していた。
【０００３】
摩擦係数の少ない樹脂で形成したプランジャやケースを使用しても操作頻度が激しい機器に使用された場合には、樹脂同士の摩擦により表面が削れたり、耐久性に問題が生じて操作ボタンのガタが大きくなったり、そのガタにより操作感を損ねたりする問題があった。特に、放送機器分野に使用される押ボタンスイッチについては、常に安定した操作力と操作感が求められており、更には操作時においても指が疲れない極めて操作性の良い押ボタンスイッチを市場が要求していた。
【０００４】
更に、本願出願人は、ケースとプランジャ間に丸ピンを配置し、丸ピンをレールとして前記ケースに対する前記プランジャを移動させて滑らかな操作感を生み出すようにしたものを開発した（下記特許文献１）。
【特許文献１】特開２００５−９３２５４号公報
【発明の開示】
【発明が解決しようとする課題】
【０００５】
しかしながら、上記した従来の丸ピンをレールとした押ボタンスイッチでは、前記ケースの内壁及びプランジャの外壁の縦方向にそれぞれ係合溝を有し、その係合溝に丸ピンを遊嵌するようにしていた。
【０００６】
本発明は、上記状況に鑑みて、長寿命で操作においても極めて安定しており、操作力や操作感が初期の状態と変わらない、押ボタンスイッチを提供することを目的とする。
【課題を解決するための手段】
【０００７】
本発明は、上記目的を達成するために、
〔１〕上方を開口部としたケースとこのケースを覆うケースカバーからなるスイッチ本体とこのスイッチ本体内に接触機構部を配設するとともに前記ケースカバーの穴より上面に突出したプランジャを配備し、このプランジャの上下動を前記スイッチ本体内で案内し接触機構部と連動させて電路の開閉を行う押ボタンスイッチであって、前記ケースの外側面の四隅に縦溝を設け、この縦溝に摩擦係数の少ない金属製の丸ピンを固定し、前記ケースと前記プランジャを有する前記ケースカバーからなるスイッチ本体を備え、このスイッチ本体を覆う操作ボタンを前記プランジャと凹凸嵌合して配設するようにしたことを特徴とする。
【０００８】
〔２〕上記〔１〕記載の押ボタンスイッチにおいて、前記縦溝は前記丸ピンの径より小さめに形成して、前記縦溝に前記丸ピンを圧入状態に配設したことを特徴とする。
【０００９】
〔３〕上記〔１〕記載の押ボタンスイッチにおいて、前記操作ボタンの内側面に前記丸ピンを係合することにより、前記操作ボタンの上下方向の案内となり、操作ボタンのガタのない安定した操作性を得ることができる凹所を具備することを特徴とする。
【発明の効果】
【００１０】
上述したように本発明の押ボタンスイッチは、スイッチ本体内でプランジャの上下動を案内するだけでなく、ケースの外側面の四隅に縦溝を設け、この縦溝に摩擦係数の少ない金属製の丸ピンを固定し、そのスイッチ本体を操作ボタンが覆う構造から、スイッチ本体が操作ボタンの上下動を案内するとともに、丸ピンと操作ボタンの内側面が直線状の接触となることから、操作ボタンの上下動に対し他の方向へ無理な力が加わらず、操作力や操作感が極めて安定した押ボタンスイッチが得られる。更には、操作ボタンの内側面に丸ピンと係合する凹所を設けるようにしたので、この凹所が操作ボタンの上下方向の案内となり、操作ボタンのガタつきのない極めて安定した操作性を有する押ボタンスイッチを提供することができる。
【発明を実施するための最良の形態】
【００１１】
本発明は、上方を開口部としたケースとこのケースを覆うケースカバーからなるスイッチ本体とこのスイッチ本体内に接触機構部を配設するとともに前記ケースカバー上面に突出したプランジャを配備し、このプランジャの上下動を前記スイッチ本体内で案内し接触機構部と連動させて電路の開閉を行う押ボタンスイッチであって、前記ケースの外側面の四隅に縦溝を設け、この縦溝に摩擦係数の少ない金属製の丸ピンを固定し、前記ケースと前記プランジャを有する前記ケースカバーからなるスイッチ本体を備え、このスイッチ本体を覆う操作ボタンを前記プランジャと凹凸嵌合して配設することで、操作ボタンの上下動に対し他の方向へ無理な力が加わらず、操作ボタンのガタつきが抑えられる。
【実施例】
【００１２】
以下、本発明の実施の形態について詳細に説明する。
【００１３】
図１は本発明の実施例を示す押ボタンスイッチの分解斜視図、図２はその押ボタンスイッチの上面図、図３は図２のＡ−Ａ線断面図、図４は図２のＢ−Ｂ線断面図、図５はその押ボタンスイッチのスイッチ本体の斜視図、図６は図５のケースカバーを除去したスイッチ本体の内部を示す平面図である。
【００１４】
これらの図において、１はケース、１Ａはケース１の開口、２はケース１の下面より外方に突出した鍔部、３はケース１の外側面、４はケース１の中央部に突出するコイルバネ８をガイドする円筒状の突起、５Ａは収納部（コネクタ収納）、５Ｂは収納部（スイッチ素子収納）、６はケース１の外側面３の四隅に形成される縦溝、７はケース１の外側面３の両側面に形成される固定部、９はコネクタ、１０はスイッチ素子、１１は縦溝６に固定される摩擦係数の少ない金属製の丸ピン、１２はコイルバネ８上に配置されるプランジャ、１２Ａはそのプランジャ１２の円筒部、１２Ｂはそのプランジャ１２の角形部、１３はプランジャ１２が装着される丸孔１４と固定部７に嵌着される角穴を有する垂下部１５とを有するケースカバー、１６は上記したケース１及びプランジャ１２及びケースカバー１３からなるスイッチ本体、１７はホルダ２１の押さえ板、１８はフレキシブルプリント基板、１９はプリント基板、２０は発光ダイオード（ＲＧＢ）、２１はホルダ、２２は拡散部材（ディフューザ）、２３はインターコネクタ（ゼブラコネクタ）、２４は液晶表示素子、２５は操作ボタン（押ボタン）、２６は表示部、２７は操作ボタン２５の内側面の四隅に丸ピン１１と係合し、操作ボタン２５の上下方向の案内となり、かつガタのない安定した操作性を得るための凹所である。
【００１５】
このように、ケース１とプランジャ１２を装着したケースカバー１３を凹凸嵌合してスイッチ本体１６を構成し、このスイッチ本体１６内には収納部５Ａが形成され、その収納部５Ａにコネクタ９が装着される。このコネクタ９は後述するフレキシブルプリント基板１８の端部が挿入される。また、スイッチ本体１６内のコネクタ９が配設された反対の内側面の収納部５Ｂには接触機構部をなすスイッチ素子１０が配設される。
【００１６】
スイッチ本体１６内には、円筒部１２Ａと角形部１２Ｂからなるプランジャ１２が配設され、このプランジャ１２の円筒部１２Ａがスイッチ本体１６を構成するケースカバー１３の略中央部に設けた丸孔１４より突出される。そして、スイッチ本体１６を構成するケース１の底面中央部に設けられた円筒状の突起４が、プランジャ１２の下面部に配設されたコイルバネ８をガイドし、このプランジャ１２の上下動によりスイッチ素子１０をＯＮ、ＯＦＦさせて電路の開閉を行う。
【００１７】
スイッチ本体１６を構成するケース１の外側面３の四隅に縦溝６を設け、この縦溝６に摩擦係数の少ない金属製の丸ピン１１をケース１とケースカバー１３間に配設する。また、スイッチ本体１６を構成するケース１に設けた縦溝６の径を丸ピン１１の径より僅かに小さくなるようにして丸ピン１１を縦溝６に圧入状態で強固に固定する。これにより、後述する操作ボタン２５の上下動が安定し、かつスムーズになり、長寿命で操作力や操作感が極めて安定した押ボタンスイッチが得られる。
【００１８】
更には、操作ボタン２５の内側面に丸ピン１１と係合する凹所２７を形成することにより、操作ボタン２５のガタつきを防止するとともに、より安定に、かつ円滑に上下方向に案内することができる。
【００１９】
フレキシブルプリント基板１８には、プランジャ１２の円筒部１２Ａが突出する貫通孔１８Ａが形成され、そのフレキシブルプリント基板１８の両端部には回路パターンが形成されており、そのフレキシブルプリント基板１８の一端部の回路パターンが、プリント基板１９の裏面に接続固定される。このプリント基板１９にはＩＣチップが実装されるとともに上面に発光ダイオードが配設される。そのプリント基板１９上に角形のホルダ２１が設けられ、このホルダ２１の下面の突起がプリント基板１９と凹凸関係により配設される。さらにホルダ２１上には多色（赤、緑、青など）の発光ダイオード２０が配設される。また、ホルダ２１上の発光ダイオード２０が配設されていない辺には、両側に対向して突出部２１Ａが形成され、その内側に長孔２１Ｂが形成される。この長孔２１Ｂを貫通してプリント基板１９の上面の回路パターン上にインターコネクタ（ゼブラコネクタ）２３を装着し、このインターコネクタ（ゼブラコネクタ）２３の上方に液晶表示素子２４が配設される。更に、インターコネクタ（ゼブラコネクタ）２３の内側には拡散部材２２がホルダ２１上の空所に配置される。そして、上記した組立体を覆うように操作ボタン２５が設けられ、その操作ボタン２５の中央部には透光性部材からなる表示部２６が形成される。また、プランジャ１２も操作ボタン２５の空間内に弾性嵌合され、上記のようにして、操作ボタン２５内に液晶表示素子２４からフレキシブルプリント基板１８までを収納し、押さえ板１７にて表示装置が構成される。
【００２０】
そして、スイッチ本体１６内には接触機構部となるスイッチ素子１０が配備されており、このスイッチ素子１０を駆動する作動軸（図示なし）を突出している。
【００２１】
押さえ板１７の下方に突出した軸１７Ａとプランジャ１２とは、操作力伝達可能に連結されている。さらに、フレキシブルプリント基板１８は折り曲げられ、フレキシブルプリント基板１８の貫通孔１８Ａにプランジャ１２を貫通し、フレキシブルプリント基板１８の一端部の回路パターンがコネクタ９に接続される。
【００２２】
以上のような構成から、コネクタ９の端子からフレキシブルプリント基板１８を介して、プリント基板１９へ電力が供給され、更にＩＣチップを介して、発光ダイオード２０および液晶表示素子２４へ電気が供給される。発光ダイオード２０および液晶表示素子２４の駆動制御は、ＩＣチップによって行われ、各種文字や絵の表示および各種色調の変化を行わせることができる。
【００２３】
図５は、スイッチ本体１６のケース１の外側面３の四隅に丸ピン１１が配設された状態を示しており、丸ピン１１が外方に突出されて配置されている。操作ボタン２５が装着された際に、この丸ピン１１によって操作ボタン２５は上下動が安定し、かつスムーズになり、長寿命の操作力や操作感を得られる。
【００２４】
なお、本発明は上記実施例に限定されるものではなく、本発明の趣旨に基づいて種々の変形が可能であり、これらを本発明の範囲から排除するものではない。
【産業上の利用可能性】
【００２５】
本発明の押ボタンスイッチは、操作力や操作感が初期の状態と変わらない押ボタンスイッチを実現し、特に放送機器分野の押ボタンスイッチに適している。
【００２６】
また、操作力や操作感の安定した押ボタンスイッチが得られるだけでなく、頻繁に操作を行う機器等、種々の用途に使用することができる。
【図面の簡単な説明】
【００２７】
【図１】本発明の実施例を示す押ボタンスイッチの分解斜視図である。
【図２】本発明の実施例を示す押ボタンスイッチの上面図である。
【図３】図２のＡ−Ａ線断面図である。
【図４】図２のＢ−Ｂ線断面図である。
【図５】本発明の実施例を示す押ボタンスイッチのスイッチ本体の斜視図である。
【図６】図５のケースカバーを除去したスイッチ本体の内部を示す平面図である。
【符号の説明】
【００２８】
１    ケース
１Ａ    ケースの開口部
２    ケースの鍔部
３    ケースの外側面
４    円筒状の突起
５Ａ    収納部（コネクタ収納）
５Ｂ    収納部（スイッチ素子収納）
６    ケースの外側面の四隅に形成される縦溝
７    固定部
８    コイルバネ
９    コネクタ
１０    スイッチ素子
１１    縦溝に固定される摩擦係数の少ない金属製の丸ピン
１２    プランジャ
１２Ａ    プランジャの円筒部
１２Ｂ    プランジャの角形部
１３    ケースカバー
１４    丸孔
１５    垂下部
１６    スイッチ本体
１７    押さえ板
１７Ａ    軸
１８    フレキシブルプリント基板
１８Ａ    貫通孔
１９    プリント基板
２０    発光ダイオード（ＲＧＢ）
２１    ホルダ
２１Ａ    突出部
２１Ｂ    長孔
２２    拡散部材（ディフューザ）
２３    インターコネクタ（ゼブラコネクタ）
２４    液晶表示素子
２５    操作ボタン（押ボタン）
２６    表示部
２７    凹所
【図１】
2008112634.tif 000003
【図２】
2008112634.tif 000004
【図３】
2008112634.tif 000005
【図４】
2008112634.tif 000006
【図５】
2008112634.tif 000007
【図６】
2008112634.tif 000008